(57)【特許請求の範囲】
【請求項１】
火災受信機を試験状態に移行させる火災試験スイッチと；
上記火災受信機の外部に送出する外部送出信号の出力を遮断する遮断スイッチと；
火災試験中は、火災試験開始時における上記遮断スイッチの状態を維持し、上記火災試験開始時に遮断解除になっている遮断スイッチを動作させた場合にのみ、上記動作させた遮断スイッチに対応する上記火災受信機の外部に送出する外部送出信号の出力を遮断する手段と；
を有することを特徴とする火災受信機の試験装置。
【請求項２】
火災試験スイッチを動作させることによって、火災受信機を試験状態に移行させる火災受信機の試験装置において、
上記火災受信機の外部に送出する外部送出信号の出力を遮断する遮断スイッチと；
上記遮断スイッチの状態を記憶する第１の記憶手段と；
上記火災試験スイッチを動作させることによって、上記遮断スイッチの状態の如何に係らず上記外部送出信号の出力を強制的に遮断し、一方、上記火災試験スイッチの動作を解除したときに、上記遮断スイッチの状態を上記第１の記憶手段から読み出し、この読み出された上記遮断スイッチの状態に応じて、上記外部送出信号の出力の遮断または遮断解除を実行する外部送出信号遮断手段と；
を有することを特徴とする火災受信機の試験装置。
【請求項３】
火災試験スイッチを動作させることによって、火災受信機を試験状態に移行させる火災受信機の試験装置において、
上記火災受信機の外部に送出する外部送出信号の出力を遮断する遮断スイッチと；
上記遮断スイッチの状態を記憶する第１の記憶手段と；
上記火災試験の開始時における上記遮断スイッチの状態を、上記火災試験の開始前に記憶する第２の記憶手段と；
上記火災試験スイッチを動作させたときに、上記遮断スイッチの状態を上記第２の記憶手段から読み出し、上記第１の記憶手段または上記第２の記憶手段に記憶されている上記遮断スイッチの状態のいずれかが遮断状態であれば上記遮断スイッチの上記外部送出信号の出力を遮断し、一方、上記火災試験スイッチの動作を解除したときに、上記遮断スイッチの状態を上記第１の記憶手段から読み出し、この読み出された上記遮断スイッチの状態に応じて、上記外部送出信号の出力の遮断または遮断解除を実行する外部送出信号遮断手段と；
を有することを特徴とする火災受信機の試験装置。
【請求項４】
請求項１〜請求項３のいずれか１項において、
上記外部送出信号は、防排煙制御信号、火災信号、防排煙移報信号、非常放送連動信号のうちの少なくとも１つの信号であることを特徴とする火災受信機の試験装置。
【発明の詳細な説明】
【０００１】
【発明の属する技術分野】
本発明は、火災受信機の試験装置に関する。
【０００２】
【従来の技術】
従来の火災受信機における試験装置は、火災試験スイッチをオンすることによって、火災受信機が試験状態に移行され、防排煙制御信号、火災信号、防排煙移報信号、非常放送連動信号等、火災受信機の外部に送出する外部送出信号の出力を遮断するものである。一方、従来の火災受信機における試験装置は、遮断スイッチを有し、この遮断スイッチをオンすると、火災試験時以外でも、外部送出信号の出力が遮断される。
【０００３】
【発明が解決しようとする課題】
ところで、上記従来例においては、火災試験スイッチをオンすれば、火災受信機が試験状態に移行されるとともに、外部送出信号の出力が遮断されるが、この火災試験中に、上記遮断スイッチをオフすると、外部送出信号の出力遮断が解除され、外部送出信号が外部に送出される。
【０００４】
したがって、上記従来例においては、火災試験で防排煙機器を連動している回線を火災状態にする試験を行い、この試験中に、防排煙連動遮断スイッチを誤操作して、オフした場合には、この誤作動によって、防排煙機器が起動され、たとえば、シャッタが閉じ、そのシャッタの下に置かれていた荷物等が破損するという問題がある。
【０００５】
本発明は、火災試験において、防排煙機器等の被制御機器を連動している回線を火災状態にする試験を行い、この試験中に、遮断スイッチが誤操作されても、被制御機器が起動されることがない火災受信機の試験装置を提供することを目的とするものである。
【０００６】
【課題を解決するための手段】
本発明は、火災試験スイッチを動作させることによって、火災受信機を試験状態に移行させる火災受信機の試験装置において、上記火災受信機の外部に送出する外部送出信号の出力を遮断する遮断スイッチと、上記火災試験中における上記遮断スイッチの状態を記憶する遮断スイッチ状態記憶手段と、上記火災試験スイッチを動作させることによって、上記遮断スイッチの状態の如何に係らず上記外部送出信号の出力を強制的に遮断し、一方、上記火災試験スイッチの動作を解除したときに、上記遮断スイッチの状態を上記記憶手段から読み出し、この読み出された上記遮断スイッチの状態に応じて、上記外部送出信号の出力の遮断または遮断解除を実行する外部送出信号遮断手段とを有する試験装置である。
【０００７】
また、本発明は、火災試験スイッチを動作させることによって、火災受信機を試験状態に移行させる火災受信機の試験装置において、上記火災受信機の外部に送出する外部送出信号の出力を遮断する遮断スイッチと、上記遮断スイッチの状態を記憶する第１の状態記憶手段と、上記火災試験開始時における上記遮断スイッチの状態を予め記憶する第２の記憶手段と、上記火災試験スイッチを動作させたときに、上記遮断スイッチの状態を上記第２の記憶手段から読み出し、上記第１の記憶手段または上記第２の記憶手段に記憶している上記遮断スイッチの状態のいずれかが遮断状態であれば上記遮断スイッチの上記外部送出信号の出力を遮断し、一方、上記火災試験スイッチの動作を解除したときに、上記遮断スイッチの状態を上記第１の記憶手段から読み出し、この読み出された上記遮断スイッチの状態に応じて、上記外部送出信号の出力の遮断または遮断解除を実行する外部送出信号遮断手段とを有する試験装置である。
【０００８】
【発明の実施の形態および実施例】
図１は、本発明の一実施例である火災受信機の試験装置ＲＴ１を示す回路図である。
【０００９】
火災受信機の試験装置ＲＴ１は、ＭＰＵ１と、複数のスイッチＳＷ１〜ＳＷ６で構成されているスイッチ群と、複数の状態灯ＬＥＤ１〜ＬＥＤ６で構成されているＬＥＤ群と、表示部ＤＰと、操作部ＯＰと、感知器電源回路２１と、受信回路Ｒ１〜Ｒｎと、防排煙機器電源回路２２と、起動回路ＤＲ１〜ＤＲｎとを有するものである。
【００１０】
ＭＰＵ１は、ＣＰＵ（中央演算部）１０と、ワーク用ＲＡＭ１１と、火災試験用ＲＡＭ１２と、プログラム用ＲＯＭ１３と、スイッチＳＷ１〜ＳＷ６用の図示しないスイッチＩ／Ｆ等とを有するワンチップマイコンである。なお、バックアップ用ＲＡＭ１２の代わりに、ＥＥＰＲＯＭ等の不揮発性のメモリを使用するようにしてもよい。
【００１１】
上記スイッチＳＷ１〜ＳＷ６として、火災試験スイッチＳＷ１と、消火栓遮断スイッチＳＷ２と、非常放送連動遮断スイッチＳＷ３と、火災信号遮断スイッチＳＷ４と、防排煙連動遮断スイッチＳＷ５と、防排煙移報遮断スイッチＳＷ６とが設けられている。
【００１２】
上記状態灯ＬＥＤ１〜ＬＥＤ６として、火災試験状態灯ＬＥＤ１と、消火栓遮断状態灯ＬＥＤ２と、非常放送連動遮断状態灯ＬＥＤ３と、火災信号遮断状態灯ＬＥＤ４と、防排煙連動遮断状態灯ＬＥＤ５と、防排煙移報遮断状態灯ＬＥＤ６とが設けられている。また、感知器回線Ｌ１〜Ｌｎには、熱感知器または煙感知器Ｓが接続され、防排煙起動回線ＤＲ１〜ＤＲｎには、防排煙機器たとえばシャッタ等が接続されている。
【００１３】
ワーク用ＲＡＭ１１は、スイッチＳＷ１〜ＳＷ６の状態を記憶する第１の記憶手段であり、火災試験用ＲＡＭ１２は、火災試験中におけるスイッチＳＷ１〜ＳＷ６の状態を記憶する第２の記憶手段であり、バックアップ可能なＲＡＭまたはＥＥＰＲＯＭ等の不揮発性メモリである。ＲＯＭ１３は、図２に示すフローチャートのプログラムを格納するメモリである。
【００１４】
次に、防排煙連動遮断について説明する。
【００１５】
まず、上記実施例において、回線Ｌ１に接続されている感知器Ｓが火災状態を検出すると、回線Ｌ１に対応する回線Ｄ１に接続されている防排煙機器Ｔに、起動信号を出力するように、連動関係が組まれていたとする。
【００１６】
ここで、防排煙遮断スイッチＳＷ５を押すと、防排煙遮断状態灯ＬＥＤ５が点灯し、回線Ｌ１を介して、感知器Ｓから火災信号を受信したとしても、回線Ｌ１と連動関係にある回線Ｄ１には起動回路ＤＲ１から起動信号が出力されない。これによって、防排煙機器への電源供給が遮断状態になる。このように、回線Ｌ１と連動関係にある回線Ｄ１に防排煙を作動させる起動信号が出力されないようにすること（火災受信機の外部に外部送出信号を送出しないようにすること）が、防排煙連動遮断である。
【００１７】
次に、試験装置ＲＴ１の動作について説明する。
【００１８】
図２は、試験装置ＲＴ１の動作を示すフローチャートである。
【００１９】
まず、ＲＡＭ１１に記憶されている遮断状態を読み込む（Ｓ１）。この後、火災試験スイッチＳＷ１の状態が変化したことを検出すると（Ｓ２）、その変化が火災試験スイッチＳＷ１をオンにする変化であれば（Ｓ３）、遮断状態を優先するため遮断スイッチＳＷ２〜ＳＷ６のうちで、現在遮断状態にセットされている遮断スイッチ以外の遮断スイッチの遮断状態を、ＲＡＭ１２に設定された内容にする（Ｓ４）。つまり、ＲＡＭ１１または１２のいずれかで遮断スイッチが遮断状態に設定されている場合、当該遮断スイッチは遮断状態になる。そして、火災試験を開始する処理を実行し（Ｓ５）、その後、火災試験スイッチＳＷ１をオフにしなければ、火災試験状態が続行される。
【００２０】
火災試験の途中で、火災試験スイッチＳＷ１がオフされると（Ｓ３）、ＲＡＭ１１から、各遮断スイッチＳＷ２〜ＳＷ６の状態を読み出し、この読み出されたスイッチＳＷ２〜ＳＷ６の状態に応じて、スイッチＳＷ２〜ＳＷ６に対応する被制御機器への起動信号を遮断する（Ｓ１１）。つまり、火災試験の途中で、火災試験スイッチＳＷ１がオフされると（Ｓ３）、ＲＡＭ１１から、各遮断スイッチＳＷ２〜ＳＷ６の状態を読み出した場合、消火栓遮断スイッチＳＷ２、非常放送連動遮断スイッチＳＷ３、火災信号遮断スイッチＳＷ４、防排煙連動遮断スイッチＳＷ５、防排煙移報遮断スイッチＳＷ６がそれぞれ、遮断状態にセットされていることが判明すれば、消火栓遮断、非常放送連動遮断、火災信号遮断、防排煙連動遮断、防排煙移報遮断が行われる。そして、火災試験の終了処理が行われる（Ｓ１２）。
【００２１】
一方、ＲＡＭ１１に記憶されている遮断状態を読み込んだ（Ｓ１）後に、火災試験スイッチＳＷ１の状態が変化せず（Ｓ２）、遮断スイッチＳＷ２〜ＳＷ６のうちで、状態が変化した遮断スイッチがあり（Ｓ２１）、上記状態変化した遮断スイッチがオフ状態からオン状態に変化したのであれば（Ｓ３１）、上記オン状態に変化した遮断スイッチの状態、つまり、その遮断スイッチがオン状態に変化したことをＲＡＭ１１に記憶し（Ｓ３２）、上記オン状態に変化した遮断スイッチのスイッチ灯を点灯し、この遮断スイッチを遮断状態にして（Ｓ３３）、ステップＳ２に戻る。
【００２２】
また、遮断スイッチＳＷ２〜ＳＷ６のうちで、状態が変化した遮断スイッチがあり（Ｓ２１）、上記状態変化した遮断スイッチがオン状態からオフ状態に変化したのであれば（Ｓ３１）、上記オフ状態に変化した遮断スイッチの状態、つまり、その遮断スイッチがオフ状態に変化したことをＲＡＭ１１に記憶し（Ｓ３４）、上記オフ状態に変化した遮断スイッチのスイッチ灯を消灯し（Ｓ３５）、火災試験中であれば（Ｓ３６）、この遮断スイッチの遮断状態はＲＡＭ１２に設定された内容にして（Ｓ３７）、ステップＳ２に戻る。また、火災試験中でなければ、この遮断スイッチの状態通りに遮断解除にして（Ｓ３８）、ステップＳ２に戻る。
【００２３】
つまり、遮断スイッチＳＷ２〜ＳＷ６のいずれかがオフからオンになれば、オンに変化したことがＲＡＭ１１に記憶され、該当するスイッチ灯が点灯し、遮断スイッチＳＷ２〜ＳＷ６のいずれかがオンからオフになれば、オフに変化したことがＲＡＭ１１に記憶され、該当するスイッチ灯が消灯する。
【００２４】
火災試験の継続中に、防排煙連動遮断スイッチＳＷ５が再度押されると、防排煙連動遮断灯ＬＥＤ５が消灯し、防排煙連動スイッチＳＷ５の遮断状態が遮断優先になっているので、防排煙連動遮断スイッチＳＷ５が遮断状態で維持される。なお、火災試験を終了すると、防排煙連動遮断スイッチＳＷ５は遮断解除状態になる。
【００２５】
また、通常の監視状態で同様に、防排煙連動遮断スイッチＳＷ５が再度押されると、防排煙連動遮断灯ＬＥＤ５が消灯し、防排煙連動遮断スイッチＳＷ５は遮断解除状態となる。
【００２６】
なお、ＲＡＭ１２の火災試験時における各遮断スイッチの遮断状態の設定は予め設定内容が記憶されているＥＥＰＲＯＭ等の不揮発性のメモリを用いて行う。バックアップ可能なＲＡＭを用いる場合には、通常火災受信機内の諸スイッチを操作しても火災受信機の盤面上からは容易に遮断状態が設定できないように、予め設定された遮断状態設定モードに入るための隠しスイッチ、設定する遮断スイッチを選択するスイッチ、遮断／遮断解除を指定するスイッチ等を操作することによって遮断スイッチの遮断状態を設定でき、かつ、その内容をＲＡＭ１２に記憶するようになっている。この設定は、上記通常時の連動については一切影響しない。
【００２７】
上記実施例においては、火災試験スイッチＳＷ１を押して火災試験状態灯が点灯し、火災試験状態に移行すると、ＲＡＭ１２に記憶された防排煙連動遮断は、火災試験時のみ有効であり、通常監視状態におけるＲＡＭ１１による遮断と区別するために防排煙遮断状態灯は点灯しないが、内部状態で防排煙状態となる。
【００２８】
したがって、回線Ｌ１を火災試験すると、回線Ｌ１は、火災時と同様の状態が発生するので、本来ならば、回線Ｌ１と連動関係にある回線Ｄ１に起動信号が出力される筈であるが、回線Ｄ１を遮断状態にしてあるので、回線Ｄ１には起動信号が出力されない。また、火災試験中に防排煙遮断スイッチＳＷ５を操作しても、防排煙機器に関する回線Ｄ１〜Ｄｎが遮断されている状態は解除されない。ただし、防排煙遮断スイッチＳＷ５によって操作された遮断／解除状態と防排煙連動遮断状態灯の状態とは、火災試験終了時に反映されるので、火災試験中に防排煙連動遮断スイッチＳＷ５を使用して遮断状態に設定した場合は、火災試験を終了しても、防排煙連動遮断状態が継続される。
【００２９】
図３は、本発明の他の実施例における動作説明図である。
【００３０】
初期設定時（スタート時）ａにおいては、ＲＡＭ１１に記憶されている内容が遮断スイッチＳＷ２〜ＳＷ６の状態である。そして、火災試験直前ｂに、遮断スイッチＳＷ２〜ＳＷ６の状態が変更されると、その変更内容がＲＡＭ１１に記憶される。図３に示す例においては、非常放送連動遮断スイッチＳＷ３および防排煙移報遮断スイッチＳＷ６が「遮断」に変更されている。
【００３１】
火災試験スイッチＳＷ１をオンにすると（火災試験時ｃ）火災試験直前ｂに、遮断状態にセットされた遮断スイッチに対応する端末機器用回線が、起動信号の出力信号の遮断状態を維持し、それ以外の遮断スイッチに対応する端末機器用回線が、ＲＡＭ１２に記憶されている状態と同じ状態になる。なお、火災試験直前に、遮断状態にセットされた端末機器用回線に対応する遮断スイッチの遮断スイッチ灯は点灯し、火災試験時にＲＡＭ１２の内容によって遮断された端末機器用回線に対応する遮断スイッチの遮断スイッチ灯は消灯する。
【００３２】
また、火災試験中ｄに、遮断スイッチの状態を変更すると、その変更内容がＲＡＭ１１に記憶される。図３に示す例においては、火災信号遮断スイッチＳＷ４が「遮断」に変更され、防排煙移報遮断スイッチＳＷ６が「遮断解除」に変更されている。なお、遮断解除であった遮断スイッチを火災試験中に遮断に変更すると、遮断状態になり、その遮断スイッチは点灯する。また、火災試験中に遮断であった遮断スイッチを遮断解除すると、火災試験時に遮断である遮断スイッチは、遮断状態を維持し、遮断スイッチが消灯し、火災試験時遮断解除の遮断スイッチはその遮断状態が解除され、遮断スイッチは消灯する。
【００３３】
火災試験終了時ｅにおいては、ＲＡＭ１１に記憶されている内容が各遮断スイッチの状態になる。
【００３４】
上記実施例によれば、火災試験において、防排煙機器等の被制御機器を連動している回線を火災状態にする試験を行い、この試験中に、遮断スイッチが誤操作されても、被制御機器が起動されることがない。また、試験時に遮断スイッチを操作すれば、その操作が試験終了時には反映され、無駄な操作を排除することができる。
【００３５】
なお、上記実施例は、火災試験スイッチを動作させることによって、火災受信機を試験状態に移行させる火災受信機の試験装置であり、遮断スイッチＳＷ２〜ＳＷ６は、上記火災受信機の外部に送出する外部送出信号の出力を遮断する遮断スイッチの例である。
【００３６】
また、起動回路ＤＲ１〜ＤＲｎが出力する起動信号は、火災受信機の外部に送出する外部送出信号の例であり、つまり、上記外部送出信号は、防排煙制御信号、火災信号、防排煙移報信号、非常放送連動信号のうちの少なくとも１つの信号である。ＲＡＭ１１は、上記遮断スイッチの状態を記憶する第１の記憶手段の例であり、ＲＡＭ１２は、火災試験における上記遮断スイッチの状態を記憶する第２の記憶手段である。
【００３７】
さらに、ＭＰＵ１は、火災試験スイッチを動作させることによって、上記遮断スイッチの状態を上記第２の記憶手段から読み出し、上記第１の記憶手段または上記第２の記憶手段に記憶している上記遮断スイッチの状態のいずれかが遮断状態であれば上記遮断スイッチの上記外部送出信号の出力を遮断し、一方、上記火災試験スイッチの動作を解除したときに、上記遮断スイッチの状態を上記第１の記憶手段から読み出し、この読み出された上記遮断スイッチの状態に応じて、上記外部送出信号の出力の遮断または遮断解除を実行する外部送出信号遮断手段の別の一例である。
【００３８】
次に、試験装置ＲＴ１の動作を、図３に示す各遮断スイッチの動作説明図に基づいて説明する。
【００３９】
まず、図２に示すフローチャートにおいて、ＲＡＭ１１に記憶されている遮断状態を読み込む（Ｓ１）。このときに各遮断スイッチＳＷ２〜ＳＷ６および各遮断状態灯の状態、ＲＡＭ１１の状態は図３の（ａ）に示されている。
【００４０】
ＲＡＭ１１から読み込まれた各遮断スイッチＳＷ２〜ＳＷ６の状態は消火栓遮断スイッチＳＷ２が遮断状態で、他の遮断スイッチＳＷ３〜ＳＷ６は遮断解除状態であるから、消火栓遮断スイッチの遮断状態灯は点灯、他の遮断スイッチの各遮断状態灯は全て消灯している。
【００４１】
ＲＡＭ１１に記憶されている遮断状態を読み込んだ（Ｓ１）後に、火災試験スイッチＳＷ１の状態が変化せず（Ｓ２）、遮断スイッチＳＷ２〜ＳＷ６のうちで、状態が変化した遮断スイッチがあり（Ｓ２１）、上記状態変化した遮断スイッチがオフ状態からオン状態に変化したのであれば（Ｓ３１）、上記オン状態に変化した遮断スイッチの状態、つまり、その遮断スイッチがオン状態に変化したことをＲＡＭ１１に記憶し（Ｓ３２）、上記オン状態に変化した遮断スイッチの遮断状態灯を点灯し、この遮断スイッチを遮断状態にして（Ｓ３３）、ステップＳ２に戻る。
【００４２】
このときの各遮断スイッチＳＷ２〜ＳＷ６および各遮断状態灯の状態、ＲＡＭ１１の状態は図３の（ｂ）に示されている。図３の（ｂ）において、非常放送連動遮断スイッチＳＷ３および防排煙移報遮断スイッチＳＷ６を遮断解除状態から遮断状態に変更したので、この非常放送連動遮断スイッチＳＷ３および防排煙移報遮断スイッチＳＷ６の遮断状態がＲＡＭ１１に記憶されるとともに、非常放送連動遮断スイッチＳＷ３および防排煙移報遮断スイッチＳＷ６の遮断状態灯がそれぞれ点灯に変わる。
【００４３】
さらに、火災試験スイッチＳＷ１の状態が変化せず（Ｓ２）、遮断スイッチＳＷ２〜ＳＷ６のうちで、状態が変化した遮断スイッチがあり（Ｓ２１）、上記状態変化した遮断スイッチがオン状態からオフ状態に変化すると（Ｓ３１）、上記オン状態に変化した遮断スイッチの状態、つまり、その遮断スイッチがオフ状態に変化したことをＲＡＭ１１に記憶し（Ｓ３４）、上記オフ状態に変化した遮断スイッチの遮断状態灯を消灯する（Ｓ３５）。さらに、この場合、火災試験中ではないので（Ｓ３６）、この遮断スイッチを遮断解除状態にして（Ｓ３８）、ステップＳ２に戻る。
【００４４】
このときの各遮断スイッチＳＷ２〜ＳＷ６および各遮断状態灯の状態、ＲＡＭ１１の状態は図３の（ｂ）に示されている。図３の（ｂ）において、消火栓遮断スイッチＳＷ２を遮断状態から遮断解除状態に変更したので、この消火栓遮断スイッチＳＷ２の遮断解除状態がＲＡＭ１１に記憶されるとともに、消火栓遮断スイッチＳＷ２の遮断状態灯が消灯に変わる。
【００４５】
この状態の後に、火災試験スイッチＳＷ１をオンさせると、火災試験スイッチＳＷ１の状態が変化したことを検出し（Ｓ２）、その変化が火災試験スイッチＳＷ１をオンにする変化であるから（Ｓ３）、遮断状態を優先するようにしているため、遮断スイッチＳＷ２〜ＳＷ６のうちで、現在遮断状態にセットされている遮断スイッチ以外の遮断スイッチの遮断状態を、ＲＡＭ１２に設定された内容にする（Ｓ４）。つまり、ＲＡＭ１１またはＲＡＭ１２のいずれかで遮断スイッチが遮断スイッチが遮断状態に設定されている場合は、その遮断スイッチは遮断状態にする。そして、火災試験を開始する処理を実行し（Ｓ５）、その後火災試験スイッチＳＷ１をオフにしなければ、火災試験が続行される。
【００４６】
このときの各遮断スイッチＳＷ２〜ＳＷ６および各遮断状態灯の状態が図３の（ｃ）に示されている。図３の（ｃ）において、（ｂ）のＲＡＭ１１で遮断状態に設定されている非常放送連動遮断スイッチＳＷ３および防排煙移報遮断スイッチＳＷ６は遮断状態で、この非常放送連動遮断スイッチＳＷ３および防排煙移報遮断スイッチＳＷ６の遮断状態灯は点灯のままである。さらに、（ａ）のＲＡＭ１２で遮断状態に設定されている防排煙連動遮断スイッチＳＷ５および防排煙移報遮断スイッチＳＷ６が遮断状態になっているが、防排煙移報遮断スイッチＳＷ６はＲＡＭ１１に記憶されている内容で遮断状態になっているため、防排煙連動遮断スイッチＳＷ５が新たに遮断状態になる。なお、防排煙連動遮断スイッチＳＷ５の遮断状態灯はＲＡＭ１２による遮断状態のため遮断状態灯は消灯のままである。
【００４７】
次に、火災試験中に、遮断スイッチの状態を変化させた場合を示す。
【００４８】
火災試験中に火災試験スイッチＳＷ１の状態が変化せず（Ｓ２）、遮断スイッチＳＷ２〜ＳＷ６のうちで、状態が変化した遮断スイッチがあり（Ｓ２１）、上記状態変化した遮断スイッチがオフ状態からオン状態に変化したのであれば（Ｓ３１）、上記オン状態に変化した遮断スイッチの状態、つまり、その遮断スイッチがオン状態に変化したことをＲＡＭ１１に記憶し（Ｓ３２）、上記オン状態に変化した遮断スイッチの遮断状態灯を点灯し、この遮断スイッチを遮断状態にして、ステップＳ２に戻る。
【００４９】
このときの各遮断スイッチＳＷ２〜ＳＷ６および各遮断状態灯の状態、ＲＡＭ１１の状態は図３の（ｄ）に示されている。図３の（ｄ）において、火災信号遮断スイッチＳＷ４が遮断解除状態から遮断状態に変更したので、この火災信号連動遮断スイッチＳＷ４の遮断状態がＲＡＭ１１に記憶されるとともに、この火災信号遮断スイッチＳＷ４の遮断状態灯が点灯に変わっている。
【００５０】
また、火災試験中に火災試験スイッチＳＷ１の状態が変化せず（Ｓ２）、遮断スイッチＳＷ２〜ＳＷ６のうちで、状態が変化した遮断スイッチがあり（Ｓ２１）、上記状態変化した遮断スイッチがオフ状態からオン状態に変化したのであれば（Ｓ３１）、上記オン状態に変化した遮断スイッチの状態、つまり、その遮断スイッチがオン状態に変化したことをＲＡＭ１１に記憶し（Ｓ３２）、上記オン状態に変化した遮断スイッチの遮断状態灯を点灯し、この遮断スイッチを遮断状態にして、ステップＳ２に戻る。
【００５１】
このときの各遮断スイッチＳＷ２〜ＳＷ６および各遮断状態灯の状態、ＲＡＭ１１の状態は図３の（ｄ）に示されている。図３の（ｄ）において、防排煙移報遮断スイッチＳＷ６が遮断状態から遮断解除状態に変更したため、この防排煙移報遮断スイッチＳＷ６の遮断状態がＲＡＭ１１に記憶されるとともに、この防排煙移報遮断スイッチＳＷ６の遮断状態灯が点灯に変わっている。しかし、ＲＡＭ１２で遮断状態に設定されているため、防排煙移報遮断スイッチＳＷ６が遮断解除されてもＲＡＭ１２の設定内容によって遮断状態のままである。なお、ＲＡＭ１２による遮断状態であるから、遮断状態灯の表示は変わらない。
【００５２】
さらに、火災試験中に火災試験スイッチＳＷ１の状態が変化せず（Ｓ２）、遮断スイッチＳＷ２〜ＳＷ６のうちで、状態が変化した遮断スイッチがあり（Ｓ２１）、上記状態変化した遮断スイッチがオン状態からオフ状態に変化したのであれば（Ｓ３１）、上記オフ状態に変化した遮断スイッチの状態、つまり、その遮断スイッチがオフ状態に変化したことをＲＡＭ１１に記憶し（Ｓ３４）、上記オフ状態に変化した遮断スイッチの遮断状態灯を消灯する（Ｓ３５）。さらに、この場合、火災試験中なので（Ｓ３６）、この遮断スイッチの遮断状態を維持して（Ｓ３７）、ステップＳ２に戻る。
【００５３】
また、火災試験の途中で、火災試験スイッチＳＷ１がオフされると（Ｓ３）、ＲＡＭ１１から、各遮断スイッチＳＷ２〜ＳＷ６の遮断状態を読み出し、この読み出されたスイッチＳＷ２〜ＳＷ６の状態に応じて、スイッチＳＷ２〜ＳＷ６に対応する被制御機器への起動信号を遮断する（Ｓ１１）。つまり、火災試験の途中で、火災試験スイッチＳＷ１がオフされると（Ｓ３）、ＲＡＭ１１から、各種遮断スイッチＳＷ２〜ＳＷ６の状態を読み出した場合、消火栓遮断スイッチＳＷ２、非常放送連動遮断スイッチＳＷ３、火災信号遮断スイッチＳＷ４、防排煙連動遮断スイッチＳＷ５、防排煙移報遮断スイッチＳＷ６がそれぞれ、遮断状態にセットされていることが判明すれば、消火栓遮断、非常放送連動遮断、火災信号遮断、防排煙連動遮断、防排煙移報遮断が行われる。そして、火災試験の終了処理が行われる（Ｓ１２）。
【００５４】
このときの各遮断スイッチＳＷ２〜ＳＷ６および各遮断状態灯の状態、ＲＡＭ１１の状態は図３の（ｅ）に示されている。図３の（ｅ）において、ＲＡＭ１１の記憶内容に従って、非常放送連動遮断スイッチＳＷ３および火災信号遮断スイッチＳＷ４が遮断状態に、それ以外の遮断スイッチが遮断解除状態になる。
【００５５】
【発明の効果】
本発明によれば、火災試験で防排煙機器等の被制御機器を連動している回線を火災状態にする試験を行い、この試験中に、遮断スイッチが誤操作されても、被制御機器が起動されることがないという効果を奏する。
【図面の簡単な説明】
【図１】本発明の一実施例である火災受信機の試験装置ＲＴ１を示す回路図である。
【図２】試験装置ＲＴ１の動作を示すフローチャートである。
【図３】上記実施例における動作説明図である。
【符号の説明】
ＲＴ１…火災受信機の試験装置、
１…ＭＰＵ、
１０…ＣＰＵ、
１１…ワーク用ＲＡＭ。
１２…バックアップ用ＲＡＭ、
２１…感知器電源回路、
２２…防排煙機器電源回路、
Ｒ１〜Ｒｎ…感知器用受信回路、
ＤＲ１〜ＤＲｎ…端末機器用起動回路、
Ｌ１〜Ｌｎ、Ｄ１〜Ｄｎ…回線、
ＳＷ１…火災試験スイッチ、
ＳＷ２…消火栓遮断スイッチ、
ＳＷ３…非常放送連動遮断スイッチ、
ＳＷ４…火災信号遮断スイッチ、
ＳＷ５…防排煙連動遮断スイッチ、
ＳＷ６…防排煙移報遮断スイッチ、
ＬＥＤ１…火災試験状態灯、
ＬＥＤ２…消火栓遮断状態灯、
ＬＥＤ３…非常放送連動遮断状態灯、
ＬＥＤ４…火災信号遮断状態灯、
ＬＥＤ５…防排煙連動遮断状態灯、
ＬＥＤ６…防排煙移報遮断状態灯。
【図１】
0003587424.tif 000002
【図２】
0003587424.tif 000003
【図３】
0003587424.tif 000004